(57)【要約】      （修正有）【課題】飾り板を複数の係止片で前面パネルに係止する際に、飾り板の係止片がある部分とない部分とがなじんだ色になることで目立たないようにして意匠性を良好にした空気調和機を提供する。【解決手段】前面部４ａと、前面部４ａの下部に左右端まで延びる段部４ｂと、段部４ｂに連続形成された傾斜面部４ｃとからなる前面パネル４と、段部４ｂに透明材による飾り板５を取り付けた空気調和機であって、前面パネル４は、段部４ｂに下方を開放して左右に延びる保持溝７と保持溝７の底部に形成された挿通孔とを備え、裏面側で挿通孔の上部には、飾り板５が接合される係止爪を備え、飾り板５は、傾斜面部４ｃと密接する飾り面５ａと、保持溝７に嵌合して保持されるように左右に延びる保持リブ１１と、保持リブ１１と飾り面５ａの交点で段部４ｂに当接される折曲部５ｂと、挿通孔に合わせ保持リブ１１の一部が上方に延出した複数の係止片とを備えた。【選択図】図４
2013148230.tif 000002
【特許請求の範囲】
【請求項１】
室内機本体の前面を覆う前面部と、同前面部の下部に左右端まで延びる前後方向の段部と、同段部に連続形成され下端を後方に傾斜させた傾斜面部とからなる前面パネルと、同前面パネルの段部に透明材による飾り板を取り付けた空気調和機であって、
前記前面パネルは、前記段部に下方を開放して左右に延びる保持溝と同保持溝の底部に形成された挿通孔とを備え、裏面側で前記挿通孔の上部には、前記飾り板が接合される係止爪を備え、
前記飾り板は、前記傾斜面部と密接する飾り面と、前記保持溝に嵌合して保持されるように左右に延びる保持リブと、同保持リブと前記飾り面の交点で前記段部に当接される折曲部と、前記挿通孔に合わせ前記保持リブの一部が上方に延出して形成される複数の係止片とを備えたことを特徴とする空気調和機。
【請求項２】
前記保持溝は前記前面パネルの全幅にわたって形成され、前記保持リブは前記保持溝に嵌合することを特徴とする請求項１に記載の空気調和機。
【請求項３】
前記保持溝の深さおよび前記保持リブの高さ寸法は、前記飾り板の厚さ寸法に対して同等または少許大きくしたことを特徴とする請求項１または請求項２に記載の空気調和機。
【発明の詳細な説明】
【技術分野】
【０００１】
本発明は、空気調和機に係わり、より詳細には、前面パネルに取り付けられる透明な樹脂部品による飾り板の取付構造に関するものである。
【背景技術】
【０００２】
近年空気調和機の室内機は、インテリアに調和し、かつ意匠性の向上を目的として室内の壁に溶け込む白色の本体と室内機の前面を吸込桟のないフラットな前面パネルで覆うものが主流になってきた。その中でさらに高級感を加えるために前面パネルを透明材で形成して裏面に塗装を施したり、前面パネルの一部を透明材の飾り板で構成するものがある。
例えば、前面パネル１００に半透明の飾り板１０１を持つものであって、図８（ａ）（ｃ）（ｄ）に示す前面パネル１００は、飾り板１０１を収容し取り付けた際に前面側が面一となるように前面下端で左右両端まで延びる段部１００ａを有する。段部１００ａの一部には後述する飾り板１０１の係止片１０２が差し込まれる取付用穴１０５が設けられ、前面パネル１００の裏側で取付用穴１０５の上部には溶着リブ１０３が突出している。
図９（ｂ）（ｃ）（ｅ）に示す飾り板１０１は、前面パネル１００の段部１００ａに納まる飾り面１０１ａと、取付用穴１０５に取り付けられる係止片１０２からなり、係止片１０２には溶着リブ１０３が係る穴１０６が設けられている。
取り付ける際は、図９（ｃ）に示すように飾り板１０１の係止片１０２を前面パネル１００の取付用穴１０５に前方から斜めに差し込み、穴１０６を溶着リブ１０３の上面の曲線に沿って回転させると、飾り面１０１ａが段部１００ａに収容される。
【０００３】
これにより、飾り板１０１の係止片１０２と前面パネル１００の溶着リブ１０３が正面から視認されなくなることで意匠性は損なわず、溶着リブ１０３を溶着することで、ねじや両面テープを用いることなく安価で確実に前面パネル１００と飾り板１０１を締結することが可能になっていた（例えば、特許文献１参照）。
【０００４】
しかしながら、空気調和機の室内機は、被空調室の壁面に取り付けられるものであり、飾り板１０１が半透明ではなく透明材で形成された場合、飾り板１０１を前面パネル１００に容易に係止できる反面、係止片１０２のない上面１０４は前面パネル１００の段部１００ａと接することで、ユーザが空気調和機を見上げた場合、ユーザには飾り板１０１を透過して前面パネル１００の色が視認されるが、係止片１０２の箇所は、前面パネル１００の色ではなく、透明材の係止片１０２を透過して、前面パネル１００により光が遮られて暗色となった前面パネル１００の背面側が視認されることで、飾り板１０１に前面パネル１００の色の中に係止片１０２の色と異なった部分が生じることになり、異なった色の部分が目立つことで意匠性を損ねてしまうという問題点があった。
【先行技術文献】
【特許文献】
【０００５】
【特許文献１】特開２００６−１９４５５７号公報
【発明の概要】
【発明が解決しようとする課題】
【０００６】
本発明は、上記問題点に鑑み、透明材の飾り板を複数箇所に設けた係止片で前面パネルに係止する際に、飾り板を透過して前面パネルの色が視認される部分と、係止片がある部分との色の差をユーザの位置から目立たないようにして、意匠性を良好にした空気調和機を提供することを目的とする。
【課題を解決するための手段】
【０００７】
上述した目的を達成するため、本発明は以下に示す特徴を備えている。
【０００８】
室内機本体の前面を覆う前面部と、同前面部の下部に左右端まで延びる前後方向の段部と、同段部に連続形成され下端を後方に傾斜させた傾斜面部とからなる前面パネルと、同前面パネルの段部に透明材による飾り板を取り付けた空気調和機であって、
前記前面パネルは、前記段部に下方を開放して左右に延びる保持溝と同保持溝の底部に形成された挿通孔とを備え、裏面側で前記挿通孔の上部には、前記飾り板が接合される係止爪を備え、
前記飾り板は、前記傾斜面部と密接する飾り面と、前記保持溝に嵌合して保持されるように左右に延びる保持リブと、同保持リブと前記飾り面の交点で前記段部に当接される折曲部と、前記挿通孔に合わせ前記保持リブの一部が上方に延出して形成される複数の係止片とを備えたことを特徴としている。
【０００９】
また、前記保持溝は前記前面パネルの全幅にわたって形成され、前記保持リブは前記保持溝に嵌合することを特徴としている。
【００１０】
また、前記保持溝の深さおよび前記保持リブの高さ寸法は、前記飾り板の厚さ寸法に対して同等または少許大きくしたことを特徴としている。
【発明の効果】
【００１１】
本発明によれば、透明材の飾り板を複数箇所に設けた係止片で前面パネルに係止する際に、飾り板を透過して前面パネルの色が視認される部分と、係止片がある部分との色の差をユーザの位置から目立たないようにして、意匠性を良好にした空気調和機を提供できる。
【図面の簡単な説明】
【００１２】
【図１】本発明による空気調和機の外観斜視図である。
【図２】本発明による空気調和機の要部説明図で、（ａ）（ｂ）は前面パネルと飾り板の組立図であり、（ｃ）は前面パネルの正面図であり、（ｄ）は前面パネルの側面図であり、（ｅ）は飾り板の正面図であり、（ｆ）は飾り板の正面図である。
【図３】図２（ａ）に示すＡ−Ａ断面図である。
【図４】図２（ａ）に示すＢ−Ｂ断面図である。
【図５】従来例を示す参考図である。
【図６】図４に示すＷ１矢視および図５に示すＷ２矢視による飾り板の説明図である。
【図７】図４に示すＸ１矢視および図５に示すＸ２矢視による飾り板の説明図である。
【図８】従来例による空気調和機の要部説明図で、（ａ）は前面パネルの正面図であり、（ｂ）は飾り板の正面図であり、（ｃ）は前面パネルに飾り板を接合した時の（ａ）に示すＣ−Ｃ断面図であり、（ｄ）は前面パネルに飾り板を接合した時の（ａ）に示すＤ−Ｄ断面図であり、（ｅ）は（ｂ）に示すＥ−Ｅ断面図である。
【発明を実施するための形態】
【００１３】
以下、本発明の実施の形態を、添付図面に基づいた実施例として詳細に説明する。
【００１４】
本発明による空気調和機は、図１および図２（ａ）（ｂ）に示すように、上部に吸込口２を備え、前面下部に吹出口３を備えた室内機本体１の前面上部が、飾り板５を下部に備えた前面パネル４で覆われている。
【００１５】
前面パネル４は被空調室内の壁面に調和する白色の不透明な合成樹脂で成形され、飾り板５は、透明感と光の反射による輝きで室内機本体１に高級感を与える透明な合成樹脂で形成されている。
【００１６】
前面パネル４は、図２（ｃ）（ｂ）に示すように、室内機本体１の前面上部を覆うための前面部４ａと、前面部４ａの下部に前面パネル４の左右端まで延びる前後方向の段部４ｂと、段部４ｂに連続形成され、下端を後方に傾斜させた傾斜面部４ｃとを備えている。
【００１７】
前面パネル４の段部４ｂには、図２（ｃ）（ｂ）と図３と図４とに示すように、下方を開放し全幅にわたって左右に延びる保持溝７と、同保持溝７の底部８に形成された挿通孔９があり、挿通孔９の上部には、前面部４ａの裏面に形成された係止爪１０と、係止爪１０の上部であって前面部４ａの背面に形成された位置決め部４ｄとで構成された飾り板５が接合される接合部６が形成されている。
【００１８】
飾り板５は、図２（ｃ）（ｄ）（ｅ）（ｆ）に示すように、前面パネル４の傾斜面部４ｃと略同一の形状に形成されて傾斜面部４ｃに対し前面側から密接する飾り面５ａと、保持溝７に嵌合して保持されるように全幅にわたって左右方向に延びる保持リブ１１と、保持リブ１１と飾り面５ａの交点で段部４ｂに当接される折曲部５ｂと、挿通孔９に合わせ保持リブ１１の一部が上方に延出して形成される複数の係止片１３とを備えている。係止片１３は、前面パネル４の係止爪１０に係止される係止穴１２を備えている。
【００１９】
飾り板５の両側部には、係止片１３と同様に、挿通孔９に合わせ保持リブ１１の一部が上方に延出して形成される押圧片１３ａを備えている。押圧片１３ａには係止穴１２はなく、挿通孔９を挿通して前面パネル４の背面を押圧することで、飾り板５の両側が浮き上がることなく見栄えよく保持される。
【００２０】
飾り板５は、図２（ａ）に示すように前面パネル４に接合される際、図２（ｃ）に示す前面パネル４に形成された保持溝７に向けて図２（ｅ）に示す飾り板５に形成された複数の係止片１３および押圧片１３ａを移動させ、図３に示すように、保持溝７の底部８に形成された挿通孔９に係止片１３および押圧片１３ａをそれぞれ挿通させる。
【００２１】
飾り板５は、更に上方に移動させることにより、係止片１３に備えた係止穴１２が前面部４ａの裏面であって挿通孔９の上部に形成された係止爪１０に係止することで保持される。
【００２２】
図３に示すように、係止爪１０は傾斜部１０ａと爪部１０ｂとを有した構成であって、爪部１０ｂの上部には、係止穴１２が係止された係止片１３の先端を位置決めする位置決め部４ｄが突設されており、この位置決め部４ｄと爪部１０ｂとの間に係止片１３の先端部が位置決めされる。次に、係止片１３が係止爪１０に係止されると同時に、保持溝７には保持リブ１１が嵌合される。
【００２３】
図４に示すように、係止片１３は、前面側の上端部に傾斜部１０ａに平行なガイド面１２ａを有しているため、ガイド面１２ａでガイドされることで傾斜部１０ａに沿って円滑に上方移動できる。また、係止片１３にガイド面１２ａが設けられたことで、係止片１３は保持溝７および挿通孔９にも挿通しやすくなる。
【００２４】
保持溝７は前面パネル４の左右全幅にわたるように形成され、かつ保持リブ１１は飾り板５の左右全幅にわたるように形成されており、これらによって保持溝７に保持リブ１１を嵌合した時の嵌合部が前面パネル４および飾り板５の全幅にわたるため、保持リブ１１は保持溝７に嵌合して強固に保持されることになる。
【００２５】
保持溝７の深さ寸法ｈ１および保持リブ１１の高さ寸法ｈ２は、飾り板５の厚さ寸法ｔに対して同等または少許大きくしたことで、保持リブ１１の強度を増強させることができ、強度を増強させた保持リブ１１を保持溝７に嵌合することで保持構造が強固になる。
【００２６】
室内機本体１は、飾り板５が接合された前面パネル４を前面に装着して被空調室の上部壁面に壁掛け設置される。そして、ユーザがリモコンで空気調和機を操作する時や運転状態を確認する時などは、被空調室の壁面から数メートル離れた前方から室内機本体１を見上げる。その際、例えば図５のように保持リブがなく、飾り板５を透過して直ぐに前面パネル４が視認される場合と比較すると、飾り板５の折曲部５ｂは保持リブ１１が上方に延出され保持溝７に嵌合されていることで、保持溝７の中が視認されることになる。係止片１３の箇所も同様に保持溝７の中が視認されることで、係止片１３の箇所だけが目立つことがなくなる。
【００２７】
この場合、図４に示すＷ２矢視のように、ユーザは室内機本体１を被空調室の壁面に近接した位置から仰角βの範囲で見上げることは稀であるが、その場合、係止片１３の箇所は被空調室の採光や照明などの条件により図６に示すように、保持リブ１１部分を図３のＷ１から見上げた場合の図６のＷ１の範囲は透過されて底部８が視認され、係止片１３部分を図４のＷ２から見上げた状態の図６のＷ２の範囲は係止片１３の高さ分奥まで視認され暗く見えることで色が違って見えることもある。
【００２８】
ただし、通常は図３に示すＸ１矢視または図４に示すＸ２矢視のように、ユーザは被空調室の壁面から所定の距離だけ離れた位置から、図４に示す仰角αの範囲で室内機本体１の折曲部５ｂを見上げることが多い。
【００２９】
その場合、図４に示す仰角βの範囲で折曲部５ｂを見上げるのに対し、仰角αの範囲で折曲部５ｂを見上げることで保持リブ１１および係止片１３の延出方向と視線とに角度がつくことになり、図３に示すＸ１矢視のように係止片１３の下部に位置する折曲部５ｂを見上げた場合と、図４に示すＸ２矢視のように保持リブ１１の下部に位置する折曲部５ｂを見上げた場合とも、図７に示すようにＸ１の範囲とＸ２の範囲は保持溝７の中が視認されることになり、係止片１３の箇所だけが目立つことがなくなり、係止片１３がある部分とない部分とがなじんだ色になることによって目立たなくなる。
【符号の説明】
【００３０】
１  室内機本体
２  吸込口
３  吹出口
４  前面パネル
４ａ  前面部
４ｂ  段部
４ｃ  傾斜面部
４ｄ  位置決め部
５  飾り板
５ａ  飾り面
５ｂ  折曲部
６  接合部
７  保持溝
８  底部
９  挿通孔
１０  係止爪
１０ａ  傾斜部
１０ｂ  爪部
１１  保持リブ
１２  係止穴
１２ａ  ガイド部
１３  係止片
１３ａ  押圧片
【図１】
2013148230.tif 000003
【図２】
2013148230.tif 000004
【図３】
2013148230.tif 000005
【図４】
2013148230.tif 000006
【図５】
2013148230.tif 000007
【図８】
2013148230.tif 000008
【図６】
2013148230.tif 000009
【図７】
2013148230.tif 000010